(57)【要約】【課題】ＡＣＳの判別を迅速に行って画像を形成する処理速度の低下を防ぐ。【解決手段】ＡＣＳ部３１は、読み取られた画像データの原稿がカラーかモノクロかをページメモリ４０で画像データの読み出しが行われる前に判定し、ＣＰＵ２０は、ＡＣＳ部３１から判定結果を受けた際、この判定結果に応じてカラー画像形成の制御信号またはモノクロ画像形成の制御信号を選択部３６とプリント部１０２とに送信してカラー画像形成またはモノクロ画像形成を行う。【選択図】    図４
2005033489.tif 000002
【特許請求の範囲】
【請求項１】
原稿の画像を読み取って画像データを出力する読取手段と、
この読取手段が出力する画像データにカラー用の画像処理を施す第１の処理手段と、
上記読取手段が出力する画像データにモノクロ用の画像処理を施す第２の処理手段と、
上記第１の処理手段で画像処理されたカラー画像データと、上記第２の処理手段で画像処理されたモノクロ画像データとを格納する格納手段と、
この格納手段に格納された画像データが読み出される前に、上記読取手段が出力する画像データから上記原稿がカラーかモノクロかを判定する判定手段と、
この判定手段の判定結果に応じて制御信号を出力する制御手段と、
上記格納手段に格納されたカラー画像データを読み出してカラーの画像処理を行う第１の画像処理手段と、
上記格納手段に格納されたモノクロ画像データを読み出してモノクロの画像処理を行う第２の画像処理手段と、
上記制御手段からの制御信号に応じて、上記第１の画像処理手段からのカラー画像データまたは上記第２の画像処理手段からのモノクロ画像データを選択する選択手段と、
この選択手段で選択されたカラー画像データまたはモノクロ画像データに基づいて、上記制御手段からの制御信号に応じてカラーの画像形成、モノクロの画像形成を行う画像形成手段と、
を具備することを特徴とする画像形成装置。
【請求項２】
原稿の画像を読み取って画像データを出力する読取手段と、
この読取手段が出力する画像データにカラー用の画像処理を施す第１の処理手段と、
上記読取手段が出力する画像データにモノクロ用の画像処理を施す第２の処理手段と、
上記第１の処理手段で画像処理されたカラー画像データと、上記第２の処理手段で画像処理されたモノクロ画像データとを格納する格納手段と、
この格納手段に格納された画像データが読み出される前に、上記読取手段が出力する画像データから上記原稿がカラーかモノクロかを判定する判定手段と、
この判定手段の判定結果に応じて制御信号を出力する制御手段と、
この制御手段の制御信号に応じて、上記格納手段に格納されたカラー画像データまたはモノクロ画像データを読み出してカラーまたはモノクロの画像処理を行う画像処理手段と、
この画像処理手段で画像処理されたカラー画像データまたはモノクロ画像データに基づいて、上記制御手段からの制御信号に応じてカラーの画像形成、モノクロの画像形成を行う画像形成手段と、
を具備することを特徴とする画像形成装置。
【請求項３】
原稿の画像を読み取って画像データを出力する読取手段と、
この読取手段が出力する画像データをカラー画像及びモノクロ画像として処理する処理手段と、
この処理手段で処理された画像データを格納する格納手段と、
この格納手段に格納された画像データが読み出される前に、上記読取手段が出力する画像データから上記原稿がカラーかモノクロかを判定する判定手段と、
この判定手段の判定結果に応じて制御信号を出力する制御手段と、
この制御手段の制御信号に応じて、上記格納手段に格納された画像データを読み出してカラーまたはモノクロの画像処理を行う画像処理手段と、
この画像処理手段で画像処理された画像データに基づいて、上記制御手段からの制御信号に応じてカラーの画像形成またはモノクロの画像形成を行う画像形成手段と、
を具備することを特徴とする画像形成装置。
【請求項４】
画像形成の倍率を指示する指示手段と、
この指示手段で指示された倍率に応じて、原稿を走査する速度を変更して当該原稿の画像を読み取って画像データを出力する読取手段と、
この読取手段が出力する画像データにカラー用の画像処理を施す第１の処理手段と、
上記読取手段が出力する画像データにモノクロ用の画像処理を施す第２の処理手段と、
上記第１の処理手段で画像処理されたカラー画像データと、上記第２の処理手段で画像処理されたモノクロ画像データとを格納する格納手段と、
この格納手段に格納された画像データが読み出される前に、上記読取手段が出力する画像データから上記原稿がカラーかモノクロかを判定する判定手段と、
この判定手段の判定結果に応じて制御信号を出力する制御手段と、
上記格納手段に格納されたカラー画像データを読み出して上記走査方向と直交する方向に対して上記指示手段で指示する倍率に変倍処理する第１の変倍処理手段と、
この第１の変倍処理手段で変倍処理されたカラー画像データに対してカラーの画像処理を行う第１の画像処理手段と、
上記格納手段に格納されたモノクロ画像データを読み出して上記走査方向と直交する方向に対して上記指示手段で指示する倍率に変倍処理する第２の変倍処理手段と、
この第２の変倍処理手段で変倍処理されたモノクロ画像データに対してモノクロの画像処理を行う第２の画像処理手段と、
上記制御手段からの制御信号に応じて、上記第１の画像処理手段からのカラー画像データまたは上記第２の画像処理手段からのモノクロ画像データを選択する選択手段と、
この選択手段で選択されたカラー画像データまたはモノクロ画像データに基づいて、上記制御手段からの制御信号に応じてカラーの画像形成、モノクロの画像形成を行う画像形成手段と、
を具備することを特徴とする画像形成装置。
【請求項５】
画像形成の倍率を指示する指示手段と、
この指示手段で指示された倍率に関係なく原稿の画像を読み取って画像データを出力する読取手段と、
この読取手段が出力する画像データにカラー用の画像処理を施す第１の処理手段と、
上記読取手段が出力する画像データにモノクロ用の画像処理を施す第２の処理手段と、
上記第１の処理手段で画像処理されたカラー画像データと、上記第２の処理手段で画像処理されたモノクロ画像データとを格納する格納手段と、
この格納手段に格納された画像データが読み出される前に、上記読取手段が出力する画像データから上記原稿がカラーかモノクロかを判定する判定手段と、
この判定手段の判定結果に応じて制御信号を出力する制御手段と、
上記格納手段に格納されたカラー画像データを読み出して上記指示手段で指示された倍率に変倍処理する第１の変倍処理手段と、
この第１の変倍処理手段で変倍処理されたカラー画像データに対してカラーの画像処理を行う第１の画像処理手段と、
上記格納手段に格納されたモノクロ画像データを読み出して上記指示手段で指示された倍率に変倍処理する第２の変倍処理手段と、
この第２の変倍処理手段で変倍処理されたモノクロ画像データに対してモノクロの画像処理を行う第２の画像処理手段と、
上記制御手段からの制御信号に応じて、上記第１の画像処理手段からのカラー画像データまたは上記第２の画像処理手段からのモノクロ画像データを選択する選択手段と、
この選択手段で選択されたカラー画像データまたはモノクロ画像データに基づいて、上記制御手段からの制御信号に応じてカラーの画像形成、モノクロの画像形成を行う画像形成手段と、
を具備することを特徴とする画像形成装置。
【請求項６】
画像形成の倍率を指示する指示手段と、
この指示手段で指示された倍率に対して予め設定された複数の倍率のうちのいずれかの倍率を選択し、この選択した倍率に応じて原稿を走査する速度を変更して当該原稿の画像を読み取る読取手段と、
この読取手段が出力する画像データにカラー用の画像処理を施す第１の処理手段と、
この第１の処理手段が出力するカラー画像データを上記読取手段の走査方向に対して上記指示手段で指示された倍率に変倍処理する第１の変倍処理手段と、
上記読取手段が出力する画像データにモノクロ用の画像処理を施す第２の処理手段と、
この第２の処理手段が出力するカラー画像データを上記読取手段の走査方向に対して上記指示手段で指示された倍率に変倍処理する第２の変倍処理手段と、
上記第１の変倍処理手段で変倍処理されたカラー画像データと、上記第２の変倍処理手段で変倍処理されたモノクロ画像データとを格納する格納手段と、
この格納手段に格納された画像データが読み出される前に、上記読取手段が出力する画像データから上記原稿がカラーかモノクロかを判定する判定手段と、
この判定手段の判定結果に応じて制御信号を出力する制御手段と、
上記格納手段に格納されたカラー画像データを読み出して上記走査方向と直交する方向に対して上記指示手段で指示する倍率に変倍処理する第３の変倍処理手段と、
この第３の変倍処理手段で変倍処理されたカラー画像データに対してカラーの画像処理を行う第１の画像処理手段と、
上記格納手段に格納されたモノクロ画像データを読み出して上記走査方向と直交する方向に対して上記指示手段で指示する倍率に変倍処理する第４の変倍処理手段と、
この第４の変倍処理手段で変倍処理されたモノクロ画像データに対してモノクロの画像処理を行う第２の画像処理手段と、
上記制御手段からの制御信号に応じて、上記第１の画像処理手段からのカラー画像データまたは上記第２の画像処理手段からのモノクロ画像データを選択する選択手段と、
この選択手段で選択されたカラー画像データまたはモノクロ画像データに基づいて、上記制御手段からの制御信号に応じてカラーの画像形成またはモノクロの画像形成を行う画像形成手段と、
を具備することを特徴とする画像形成装置。
【請求項７】
原稿から読み取られた画像データにカラー用の画像処理を施してカラー画像データとし、
上記原稿から読み取られた画像データにモノクロ用の画像処理を施してモノクロ画像データとし、
カラー画像データとモノクロ画像データとを格納し、
格納されたカラー画像データおよびモノクロ画像データが読み出される前に、上記原稿から読み取られた画像データから当該原稿がカラーかモノクロかを判定し、
この判定結果に応じて制御信号を出力し、
上記格納されたカラー画像データを読み出してカラーの画像処理を行い、
上記格納されたモノクロ画像データを読み出してモノクロの画像処理を行い、
上記制御信号に応じて上記カラーの画像処理が行われたカラー画像データまたは上記モノクロの画像処理が行われたモノクロ画像データを選択し、
この選択されたカラー画像データまたはモノクロ画像データに基づいて、上記制御信号に応じてカラーの画像形成またはモノクロの画像形成を行うようにしたことを特徴とする画像形成方法。
【請求項８】
画像形成の倍率が指示された際、この指示された倍率に応じて原稿を走査する速度を変更して当該原稿の画像を読み取り、
この読み取られた画像データにカラー用の画像処理を施してカラー画像データとし、
上記原稿から読み取られた画像データにモノクロ用の画像処理を施してモノクロ画像データとし、
カラー画像データとモノクロ画像データとを格納し、
この格納されたカラー画像データおよびモノクロ画像データが読み出される前に、上記読み取られた画像データから上記原稿がカラーかモノクロかを判定し、
この判定結果に応じて制御信号を出力し、
上記格納されたカラー画像データを読み出して上記走査方向と直交する方向に対して上記指示倍率に変倍処理し、
この変倍処理されたカラー画像データに対してカラーの画像処理を行い、
上記格納されたモノクロ画像データを読み出して上記走査方向と直交する方向に対して上記指示倍率に変倍処理し、
この変倍処理されたモノクロ画像データに対してモノクロの画像処理を行い、
上記制御信号に応じて上記カラーの画像処理が行われたカラー画像データまたは上記モノクロの画像処理が行われたモノクロ画像データを選択し、
この選択されたカラー画像データまたはモノクロ画像データに基づいて、上記制御信号に応じてカラーの画像形成またはモノクロの画像形成を行うようにしたことを特徴とする画像形成方法。
【発明の詳細な説明】
【０００１】
【発明の属する技術分野】
この発明は、カラーまたはモノクロ原稿の画像を読み取ってカラーまたはモノクロの画像を形成する画像形成装置と画像形成方法に関する。
【０００２】
【従来の技術】
画像形成装置において、読み取った原稿がカラーまたはモノクロかを自動的に判別し、それぞれに適したモード（カラーまたはモノクロ）で画像を処理して出力するＡＣＳ（Ａｕｔｏ  Ｃｏｌｏｒ  Ｓｅｌｅｃｔｉｏｎ）モードが採用されているものがある。
【０００３】
従来のＡＣＳ技術では、メインスキャン前にプリスキャンを実行し、原稿がカラーかモノクロかを判定してから処理を実行していた。
【０００４】
しかしながら、このように２回スキャンするため、画像を形成するための処理速度が低下していた。
【０００５】
【発明が解決しようとする課題】
上記したように、従来のＡＣＳ技術では、メインスキャン前にプリスキャンを実行し、原稿がカラーかモノクロかを判定してから処理を実行しているため、画像を形成する処理速度が低下するという問題があった。
【０００６】
そこで、この発明は、ＡＣＳの判別を迅速に行って画像を形成する処理速度の低下を防ぐことのできる画像形成装置と画像形成方法を提供することを目的とする。
【０００７】
【課題を解決するための手段】
この発明の画像形成装置は、原稿の画像を読み取って画像データを出力する読取手段と、この読取手段が出力する画像データにカラー用の画像処理を施す第１の処理手段と、上記読取手段が出力する画像データにモノクロ用の画像処理を施す第２の処理手段と、上記第１の処理手段で画像処理されたカラー画像データと、上記第２の処理手段で画像処理されたモノクロ画像データとを格納する格納手段と、この格納手段に格納された画像データが読み出される前に、上記読取手段が出力する画像データから上記原稿がカラーかモノクロかを判定する判定手段と、この判定手段の判定結果に応じて制御信号を出力する制御手段と、上記格納手段に格納されたカラー画像データを読み出してカラーの画像処理を行う第１の画像処理手段と、上記格納手段に格納されたモノクロ画像データを読み出してモノクロの画像処理を行う第２の画像処理手段と、上記制御手段からの制御信号に応じて、上記第１の画像処理手段からのカラー画像データまたは上記第２の画像処理手段からのモノクロ画像データを選択する選択手段と、この選択手段で選択されたカラー画像データまたはモノクロ画像データに基づいて、上記制御手段からの制御信号に応じてカラーの画像形成、モノクロの画像形成を行う画像形成手段とから構成されている。
【０００８】
この発明の画像形成方法は、原稿から読み取られた画像データにカラー用の画像処理を施してカラー画像データとし、上記原稿から読み取られた画像データにモノクロ用の画像処理を施してモノクロ画像データとし、カラー画像データとモノクロ画像データとを格納し、格納されたカラー画像データおよびモノクロ画像データが読み出される前に、上記原稿から読み取られた画像データから当該原稿がカラーかモノクロかを判定し、この判定結果に応じて制御信号を出力し、上記格納されたカラー画像データを読み出してカラーの画像処理を行い、上記格納されたモノクロ画像データを読み出してモノクロの画像処理を行い、上記制御信号に応じて上記カラーの画像処理が行われたカラー画像データまたは上記モノクロの画像処理が行われたモノクロ画像データを選択し、この選択されたカラー画像データまたはモノクロ画像データに基づいて、上記制御信号に応じてカラーの画像形成またはモノクロの画像形成を行うようにしたことを特徴とする。
【０００９】
【発明の実施の形態】
以下、この発明の一実施の形態について図面を参照して説明する。
【００１０】
図１は、この発明の画像形成装置に係るカラーデジタル複写装置１００の内部構成を示す断面図である。すなわち、カラーデジタル複写装置１００は，複写対象物Ｏが保持する画像情報を光の明暗として読み取って画像信号を生成する画像読取部１０１、および画像読取部１０１あるいは外部から供給される画像信号に対応する画像を形成するプリント部１０２からなる。
【００１１】
画像読取部１０１により読み取られて画像メモリ（図示しない）に記憶されている画像データに基づく露光光が、露光装置１０５から感光体ドラム１０３の所定の位置に照射される。これにより、感光体ドラム１０３に、露光光の強度に応じた潜像が形成される。
【００１２】
感光体ドラム１０３に形成された潜像は、黒の単色すなわちＢｋ画像を現像するための黒（Ｂｋ）現像装置１１、またはカラー画像を構成するＣ（Ｃｙａｎ），Ｍ（Ｍａｇｅｎｔａ），Ｙ（Ｙｅｌｌｏｗ）の３色の単色画像を現像するためのカラー現像装置２１のいずれかから対応する色のトナーが選択的に供給されることで、トナー像として可視化（現像）される。なお、カラー現像装置２１には、Ｃ（Ｃｙａｎ）のトナーで現像するＣ現像装置２３、Ｍ（Ｍａｇｅｎｔａ）のトナーで現像するＭ現像装置２４、Ｙ（Ｙｅｌｌｏｗ）のトナーで現像するＹ現像装置２５とが配置されている。
【００１３】
感光体ドラム１０３上のトナー像は、感光体ドラム１０３が回転されることにより、転写ベルト（中間転写体）１０６と感光体ドラム１０３とが対向されている中間転写位置に搬送される。
【００１４】
中間転写位置に搬送された感光体ドラム１０３上のトナー像は、中間転写装置１０７から提供される中間転写電圧により、転写ベルト１０６に転写される。
【００１５】
転写ベルト１０６に転写されたトナー像は、出力媒体へのトナー像の転写位置である転写装置１０８と転写ベルト１０６とが対向される領域に搬送される。また、所定のタイミングでカセット１２１ａまたは１２１ｂから取り出された用紙は、アライニングローラ１２３により、感光体ドラム１０３上のトナー像の位置とタイミングが整合されて転写位置に搬送され、トナー像が転写される。なお、転写装置１０８からは、所定の転写電圧が出力される。
【００１６】
トナー像が転写された用紙Ｐは，定着装置１０９に搬送され，定着装置１０９から所定の熱が供給される。これにより、トナー像を構成するトナーが溶融され、用紙に定着される。
【００１７】
図２は、画像読取部１０１の概略構成を示すものである。
【００１８】
画像読取部１０１は、光源２、光源２の配光分布を調整するためのリフレクタ３、及び第１ミラー４とで構成する第１キャリジ５、第２ミラー６と第３ミラー７とで構成する第２キャリジ８、集光レンズ９、３ラインＣＣＤセンサ１０、３ラインＣＣＤセンサ１０と図示しないセンサ駆動回路を実装したＣＣＤ基板１１、及び３ラインＣＣＤセンサ１０を制御する制御回路と３ラインＣＣＤセンサ１０からの出力信号の処理を行う画像処理回路とで構成されるＣＣＤ制御基板１２とから構成されている。
【００１９】
画像読取部１０１の動作を簡単に説明する。
【００２０】
原稿Ｏが原稿台ガラス１３上に置かれた際、その原稿Ｏは、原稿固定用カバー１４により原稿台ガラス１３に密着して固定される。続いて、例えば、蛍光灯やキセノンランプ、ハロゲンランプ等を用いる光源２が点灯され、原稿台ガラス１３を透過して原稿Ｏに光が照射される。原稿Ｏ上の読取位置Ｐの反射光は、原稿台ガラス１３を透過し、第１ミラー４、第２ミラー６、第３ミラー７で反射され、集光レンズ９を介して３ラインＣＣＤセンサ１０の受光面に結像される。
【００２１】
３ラインＣＣＤセンサ１０の受光面に結像した原稿Ｏからの反射光は、３ラインＣＣＤセンサ１０において光エネルギーからＲ（赤），Ｇ（緑），Ｂ（青）のカラーの画像データのもととなる電気信号に変換され、後段のＣＣＤ制御基板１２上の画像処理回路で各種処理が行われる。
【００２２】
第１キャリジ５と第２キャリジ８は、それぞれ速度２ＶとＶで図示する方向（図上右方向）に移動されることで、原稿Ｏ上の読取位置Ｐが移動する。その際、読取位置Ｐから３ラインＣＣＤセンサ１０までの距離である光路長は、一定に保たれる。
【００２３】
図３は、カラーデジタル複写装置１００の制御系の概略構成を示すものである。上述したＣＣＤ制御基板１２は、画像読取部１０１とプリント部１０２を含む全体の制御を司るＣＰＵ２０、画像データの画像処理を行う画像処理部３０、画像データの１頁分あるいは２頁分を格納するページメモリ（以下、ＰＭと記述する）４０とを有している。
【００２４】
原稿読取部１０１で読み取られた画像データは、画像処理部３０で画像処理されてＰＭ４０に格納される。
【００２５】
また、ＰＭ４０から読み出された画像データは、画像処理部３０で画像処理されてプリント部１０２に出力される。
【００２６】
また、ＣＰＵ２０には、各種操作を行う操作パネル５０が接続されている。
【００２７】
次に、このような構成において第１実施例について説明する。
【００２８】
図４は、第１実施例に係る画像処理ブロックの構成を示すものである。
【００２９】
第１実施例に係る画像処理部３０は、図に示すように、ＡＣＳ部３１、カラー用のスキャンデータ画像処理部３２、モノクロ用のスキャンデータ画像処理部３３、カラー用のプリントデータ画像処理部３４、モノクロ用のスキャンデータ画像処理部３５、及び選択部３６とから構成されている。
【００３０】
ＡＣＳ部３１は、詳しくは後述するが、ＰＭ４０から画像データが読み出される前に、当該原稿がカラーかモノクロかの判定結果をＣＰＵ２０に出力する。
【００３１】
カラー用のスキャンデータ画像処理部３２は、Ｒ（赤），Ｇ（緑），Ｂ（青）のカラーの画像データをＣ（Ｃｙａｎ），Ｍ（Ｍａｇｅｎｔａ），Ｙ（Ｙｅｌｌｏｗ）に色変換したカラー用の画像データをＰＭ４０に出力する。
【００３２】
モノクロ用のスキャンデータ画像処理部３３は、Ｒ（赤），Ｇ（緑），Ｂ（青）のカラーの画像データをモノクロ用のＣ，Ｍ，Ｙに色変換した画像データをＰＭ４０に出力する。
【００３３】
カラー用のプリントデータ画像処理部３４は、ＰＭ４０から読み出したカラー用の画像データの画像処理を行って選択部３６に出力する。
【００３４】
モノクロ用のプリントデータ画像処理部３５は、ＰＭ４０から読み出したモノクロ用の画像データの画像処理を行って選択部３６に出力する。
【００３５】
選択部３６は、ＣＰＵ２０からの制御信号に応じて、カラー用の画像データまたはモノクロ用の画像データをプリント部１０２に選択出力する。
【００３６】
図５は、ＡＣＳ部３１の概略構成を示すものである。ＡＣＳ部３１は、カラー画素判定部６１、カラー画素カウント部６２、カラー／モノクロ判定部６３とから構成されている。
【００３７】
カラー画素判定部６１は、入力されるＲ，Ｇ，Ｂの画像データのうちカラー画素を判定する。すなわち、カラー画素判定部６１は、Ｒ，Ｇ，Ｂの画像データのうち次式を満たす画素をカラー画素と判定する。
【００３８】
│Ｒ−Ｇ│＞ＴＨ１、または│Ｇ−Ｂ│＞ＴＨ２、または│Ｂ−Ｒ│＞ＴＨ３
であればカラー画素と判定する。なお、「Ｒ，Ｇ，Ｂ」は読取信号値、「ＴＨ１，ＴＨ２，ＴＨ３」はカラー画素判定閾値である。
【００３９】
カラー画素カウント部６２は、カラー画素と判定された数（カラー画素数）をカウント（ｃｎｔ）する。
【００４０】
カラー／モノクロ判定部６３は、カウント（ｃｎｔ）されたカラー画素数により当該原稿がカラーかモノクロかを判定する。ここでの判定は、カウント値ｃｎｔ＞ＴＨＣであればカラーと判定し、そうでなければモノクロと判定する。なお、「ＴＨＣ」は、カラー／モノクロ原稿判定閾値である。
【００４１】
このような構成において、第１実施例の動作を図６のフローチャートを参照して説明する。
【００４２】
まず、原稿読取部１０１は、原稿がカラーかモノクロかによらず、カラーの画像データとして読み取る（ＳＴ１）。このカラーの画像データは、ＡＣＳ部３１、カラー用のスキャンデータ画像処理部３２、モノクロ用のスキャンデータ画像処理部３３に出力される。
【００４３】
カラー用のスキャンデータ画像処理部３２は、読み取られた画像データに対してカラーの画像処理を行ってＰＭ４０に出力する（ＳＴ２）。
【００４４】
また、モノクロ用のスキャンデータ画像処理部３３は、読み取られた画像データに対してモノクロの画像処理を行ってＰＭ４０に出力する（ＳＴ３）。
【００４５】
ＰＭ４０には、カラーの画像処理が行われた画像データが１頁分格納され、モノクロの画像処理が行われた画像データが１頁分格納される（ＳＴ４）。従って、ＰＭ４０には２頁分の画像データが格納される。
【００４６】
一方、ＡＣＳ部３１は、読み取られた画像データから当該原稿がカラーかモノクロかを、ＰＭ４０で画像データの読み出しが行われる前に判定し、判定結果をＣＰＵ２０に出力する（ＳＴ５）。
【００４７】
ＣＰＵ２０は、ＡＣＳ部３１から判定結果を受けた際、この判定結果に応じてカラー画像形成の制御信号またはモノクロ画像形成の制御信号を選択部３６とプリント部１０２とに送信する。続いて、ＣＰＵ２０は、ＰＭ４０からカラーの画像処理が行われた画像データ（カラー用）及びモノクロの画像処理が行われた画像データ（モノクロ用）を読み出す（ＳＴ６）。
【００４８】
カラー用のプリントデータ画像処理部３４は、ＰＭ４０から読み出されたカラー用の画像データの画像処理（プリントデータ化）を行って選択部３６に出力する（ＳＴ７）。
【００４９】
モノクロ用のプリントデータ画像処理部３５、ＰＭ４０から読み出されたモノクロ用の画像データの画像処理（プリントデータ化）を行って選択部３６に出力する（ＳＴ８）。
【００５０】
選択部３６は、ＣＰＵ２０からカラー画像形成の制御信号を受信していた場合、カラー用のプリントデータ画像処理部３４からのカラー用の画像データをプリント部１０２に出力する（ＳＴ９）。
【００５１】
また、選択部３６は、ＣＰＵ２０からモノクロ画像形成の制御信号を受信していた場合、モノクロ用のプリントデータ画像処理部３５からのモノクロ用の画像データをプリント部１０２に出力する（ＳＴ９）。
【００５２】
プリント部１０２は、ＣＰＵ２０からカラー画像形成の制御信号を受信していた場合、選択部３６から出力されるカラー用の画像データに基づいてカラーのプリントアウトを行う（ＳＴ１０）。
【００５３】
また、プリント部１０２は、ＣＰＵ２０からモノクロ画像形成の制御信号を受信していた場合、選択部３６から出力されるモノクロ用の画像データに基づいてモノクロのプリントアウトを行う（ＳＴ１１）。
【００５４】
以上説明したように第１実施例によれば、ページメモリから画像データを読み出す前に原稿がカラーかモノクロかを判定してカラー／モノクロ処理を切り替えることにより、プリスキャンを必要としないＡＣＳモードを実現することができる。この場合、プリスキャンを必要としないので、画像を形成するための処理速度の低下を防止することができる。
【００５５】
次に、第２実施例について説明する。
【００５６】
図７は、第２実施例に係る画像処理ブロックの構成を示すものである。
【００５７】
第２実施例に係る画像処理部３０は、第１実施例のプリントデータ画像処理部３４，３５と選択部３６を省き、プリントデータ画像処理部３７を１つ設けたものである。第１実施例と同一箇所には同一符号を付して説明を省略する。
【００５８】
第２実施例は、ＰＭ４０にカラー及びモノクロ処理した２頁分の画像データを格納するところまで第１実施例と同じである。
【００５９】
また、ＡＣＳ部３１が、読み取られた画像データから当該原稿がカラーかモノクロかをＰＭ４０で画像データの読み出しが行われる前に判定し、判定結果をＣＰＵ２０に出力するのも第１実施例と同じである。
【００６０】
そして、第２実施例のＣＰＵ２０は、ＡＣＳ部３１から判定結果を受けた際、この判定結果に応じてカラー画像形成の制御信号またはモノクロ画像形成の制御信号を、ＰＭ４０とプリントデータ画像処理部３７とプリント部１０２とに送信する。
【００６１】
それにより、ＰＭ４０は、カラー用またはモノクロ用に画像処理した１頁分の画像データのみが読み出される。
【００６２】
プリントデータ画像処理部３７は、ＰＭ４０から読み出される画像データを、ＣＰＵ２０からの制御信号に応じて画像処理を行ってプリント部１０２に出力する。
【００６３】
プリント部１０２は、プリントデータ画像処理部３７からの画像データに基づいて、ＣＰＵ２０からの制御信号に応じてカラーまたはモノクロのプリントアウトを行う。
【００６４】
以上説明したように第２実施例は、第１実施例と同様の効果を得ることができる。
【００６５】
次に、第３実施例について説明する。
【００６６】
図８は、第３実施例に係る画像処理ブロックの構成を示すものである。
【００６７】
第３実施例に係る画像処理部３０は、第２実施例のスキャンデータ画像処理部３２，３３を省き、スキャンデータ画像処理部３８を１つ設けたものである。第２実施例と同一箇所には同一符号を付して説明を省略する。
【００６８】
第３実施例では、スキャンデータ画像処理部３８が、原稿読取部１０１で読み取られた画像データに対してカラー／モノクロ共通の画像処理を行ってＰＭ４０に出力する。カラー／モノクロ共通の画像処理は、第１実施例のカラー用の画像処理の内容であってもよい。この場合、ＰＭ４０には、１頁分の画像データが格納される。
【００６９】
また、ＡＣＳ部３１が、読み取られた画像データから当該原稿がカラーかモノクロかをＰＭ４０で画像データの読み出しが行われる前に判定し、判定結果をＣＰＵ２０に出力するのも第２実施例と同じである。
【００７０】
そして、第３実施例のＣＰＵ２０は、ＡＣＳ部３１から判定結果を受けた際、この判定結果に応じてカラー画像形成の制御信号またはモノクロ画像形成の制御信号を、ＰＭ４０とプリントデータ画像処理部３７とプリント部１０２とに送信する。
【００７１】
それにより、ＰＭ４０は、カラー／モノクロ共通の画像処理した１頁分の画像データが読み出される。
【００７２】
プリントデータ画像処理部３７は、ＰＭ４０から読み出される画像データを、ＣＰＵ２０からの制御信号に応じてカラーまたはモノクロの画像処理を行ってプリント部１０２に出力する。
【００７３】
プリント部１０２は、プリントデータ画像処理部３７からの画像データに基づいて、ＣＰＵ２０からの制御信号に応じてカラーまたはモノクロのプリントアウトを行う。
【００７４】
以上説明したように第３実施例は、第１、第２実施例と同様の効果を得ることができる。
【００７５】
次に、第４実施例について説明する。
【００７６】
図９は、第４実施例に係る画像処理ブロックの構成を示すものである。
【００７７】
第４実施例に係る画像処理部３０は、第１実施例の画像処理部３０におけるプリントデータ画像処理部３４，３５の前段に変倍処理部（主走査方向）４１，４２を設けたものである。第１実施例と同一箇所には同一符号を付して説明を省略する。
【００７８】
このような構成において、第４実施例の動作を図１０のフローチャートを参照して説明する。
【００７９】
まず、第４実施例では、操作パネル５０から倍率の指定がされたものとする。
【００８０】
ＣＰＵ２０は、原稿読取部１０１に対して、指定された倍率に応じた第１キャリッジ５の移動速度（キャリッジ速度）を変化させる制御を行う。さらに、ＣＰＵ２０は、変倍処理部４１，４２にも指定された倍率に変倍させる制御を行う。
【００８１】
すなわち、原稿読取部１０１は、原稿がカラーかモノクロかによらず、倍率に応じたキャリッジ速度でカラーの画像データ（副走査方向の変倍画像）を読み取る（ＳＴ２１）。このカラーの画像データは、ＡＣＳ部３１、カラー用のスキャンデータ画像処理部３２、モノクロ用のスキャンデータ画像処理部３３に出力される。
【００８２】
カラー用のスキャンデータ画像処理部３２は、読み取られた画像データに対してカラーの画像処理を行ってＰＭ４０に出力する（ＳＴ２２）。
【００８３】
また、モノクロ用のスキャンデータ画像処理部３３は、読み取られた画像データに対してモノクロの画像処理を行ってＰＭ４０に出力する（ＳＴ２３）。
【００８４】
ＰＭ４０には、カラーの画像処理が行われた画像データが１頁分格納され、モノクロの画像処理が行われた画像データが１頁分格納される（ＳＴ２４）。従って、ＰＭ４０には２頁分の画像データが格納される。
【００８５】
一方、ＡＣＳ部３１は、読み取られた画像データから当該原稿がカラーかモノクロかを、ＰＭ４０で画像データの読み出しが行われる前に判定し、判定結果をＣＰＵ２０に出力する（ＳＴ２５）。
【００８６】
なお、ＡＣＳ部３１による判定は、図５に示すカラー／モノクロ判定部６３で説明した判定式と異なり、下記のようになる。
【００８７】
すなわち、変倍時におけるカラー／モノクロ判定部６３の判定は、カウント値ｃｎｔ＞ｆ（Ｚ）×ＴＨＣであればカラーと判定し、そうでなければモノクロと判定する。なお。「ＴＨＣ」はカラー／モノクロ原稿判定閾値であり、ｆ（Ｚ）は倍率をＺとしたときのＺに関する関数である。
【００８８】
図１１は、変倍時の関数ｆ（Ｚ）の例を示すものである。横軸の設定倍率範囲に対して縦軸が関数ｆ（Ｚ）で、倍率Ｚに対して単調増加する関数である。すなわち、倍率に関する関数ｆ（Ｚ）を判定閾値に乗算し、変倍時の判定結果が等倍時と同じになるようにする。
【００８９】
ＣＰＵ２０は、ＡＣＳ部３１から判定結果を受けた際、この判定結果に応じてカラー画像形成の制御信号またはモノクロ画像形成の制御信号を選択部３６とプリント部１０２とに送信する。続いて、ＣＰＵ２０は、ＰＭ４０からカラーの画像処理が行われた画像データ（カラー用）及びモノクロの画像処理が行われた画像データ（モノクロ用）を読み出す（ＳＴ２６）。
【００９０】
変倍処理部４１は、ＰＭ４０から読み出されたカラー用の画像データを主走査方向に上記指定された倍率で変倍処理してプリントデータ画像処理部３４に出力する（ＳＴ２７）。プリントデータ画像処理部３４は、変倍処理部４３からの画像データの画像処理（プリントデータ化）を行って選択部３６に出力する（ＳＴ２８）。
【００９１】
また、変倍処理部４２は、ＰＭ４０から読み出されたモノクロ用の画像データを主走査方向に上記指定された倍率で変倍処理してプリントデータ画像処理部３５に出力する（ＳＴ２９）。プリントデータ画像処理部３５、ＰＭ４０から読み出されたモノクロ用の画像データの画像処理（プリントデータ化）を行って選択部３６に出力する（ＳＴ３０）。
【００９２】
選択部３６は、ＣＰＵ２０からカラー画像形成の制御信号を受信していた場合、カラー用のプリントデータ画像処理部３４からのカラー用の画像データをプリント部１０２に出力する（ＳＴ３１）。
【００９３】
また、選択部３６は、ＣＰＵ２０からモノクロ画像形成の制御信号を受信していた場合、モノクロ用のプリントデータ画像処理部３５からのモノクロ用の画像データをプリント部１０２に出力する（ＳＴ３１）。
【００９４】
プリント部１０２は、ＣＰＵ２０からカラー画像形成の制御信号を受信していた場合、選択部３６から出力されるカラー用の画像データに基づいてカラーのプリントアウトを行う（ＳＴ３２）。
【００９５】
また、プリント部１０２は、ＣＰＵ２０からモノクロ画像形成の制御信号を受信していた場合、選択部３６から出力されるモノクロ用の画像データに基づいてモノクロのプリントアウトを行う（ＳＴ３３）。
【００９６】
以上説明したように第４実施例によれば、キャリッジ変倍を伴っても、ページメモリから画像データを読み出す前に原稿がカラーかモノクロかを判定してカラー／モノクロ処理を切り替えることにより、プリスキャンを必要としない変倍処理を行ったＡＣＳモードを実現することができる。
【００９７】
なお、本第４実施例は、第１実施例の構成に対してキャリッジ変倍を伴う変倍処理を行う場合を示しているが、同様に第２，第３実施例の構成に応用することも可能である。
【００９８】
次に、第５実施例について説明する。
【００９９】
図１２は、第５実施例に係る画像処理ブロックの構成を示すものである。
【０１００】
第５実施例に係る画像処理部３０は、第４実施例の画像処理部３０における変倍処理部（主走査方向）４１，４２の代わりに変倍処理部（主／副走査方向）４３，４４を設けたものである。第４実施例と同一箇所には同一符号を付して説明を省略する。
【０１０１】
第５実施例では、変倍時においても第４実施例のように画像読取部１０１のキャリッジ速度を変化させない１００％固定にして読み取りを行う。変倍は、主走査方向と副走査方向とを変倍処理部４３，４４で行う。
【０１０２】
なお、ＡＣＳ部３１は、変倍される前の画像データを使用するため、等倍での読み取りと同じ判定処理が行われる。
【０１０３】
第５実施例における他の動作は、第４実施例と同じであるので説明を省略する。
【０１０４】
以上説明したように第５実施例によれば、キャリッジ速度を変化させない変倍を伴っても、ページメモリから画像データを読み出す前に原稿がカラーかモノクロかを判定してカラー／モノクロ処理を切り替えることにより、プリスキャンを必要としない変倍処理を行ったＡＣＳモードを実現することができる。
【０１０５】
なお、本第５実施例は、第１実施例の構成に対してキャリッジ速度を変化させない変倍を行う場合を示しているが、同様に第２，第３実施例の構成に応用することも可能である。
【０１０６】
次に、第６実施例について説明する。
【０１０７】
図１３は、第６実施例に係る画像処理ブロックの構成を示すものである。
【０１０８】
第６実施例に係る画像処理部３０は、第１実施例の画像処理部３０におけるスキャンデータ画像処理部３２，３３の後段に変倍処理部（副走査方向）５１，５２を設け、プリントデータ画像処理部３４，３５の前段に変倍処理部（主走査方向）５３，５４を設けたものである。第１実施例と同一箇所には同一符号を付して説明を省略する。
【０１０９】
このような構成において、第６実施例の動作を図１４のフローチャートを参照して説明する。
【０１１０】
第６実施例では、操作パネル５０から指定された倍率に応じて変倍画像を形成するが、原稿読取部１０１のキャリッジ速度を変化させることによる変倍動作と画像処理部分による変倍処理を組み合わせる。ただし、キャリッジは特定の変倍時の速度、例えば、５０％，１００％，２００％，４００％のみで動作させる。
【０１１１】
図１５は、指定された倍率と読み取り倍率との関係例を示すものである。例えば、指定倍率が２５〜５０％では読み取り倍率が５０％時の読み取り動作（キャリッジ速度）とし、指定倍率が５１〜１００％では読み取り倍率が１００％時の読み取り動作（キャリッジ速度）とし、指定倍率が１０１〜２００％では読み取り倍率が２００％時の読み取り動作（キャリッジ速度）とし、指定倍率が２０１〜４００％では読み取り倍率が４００％時の読み取り動作（キャリッジ速度）とする。
【０１１２】
まず、第６実施例では、操作パネル５０から倍率が指定されたものとする。
【０１１３】
ＣＰＵ２０は、原稿読取部１０１に対して、指定倍率（倍率範囲）に応じたキャリッジ５の移動速度（キャリッジ速度）を変化させる制御を行う。さらに、ＣＰＵ２０は、変倍処理部５１，５２，５３，５４にも指定された倍率に変倍処理させる制御を行う。
【０１１４】
すなわち、原稿読取部１０１は、原稿がカラーかモノクロかによらず、倍率範囲に応じたキャリッジ速度でカラーの画像データ（副走査方向の変倍画像）を読み取る（ＳＴ４１）。このカラーの画像データは、ＡＣＳ部３１、カラー用のスキャンデータ画像処理部３２、モノクロ用のスキャンデータ画像処理部３３に出力される。
【０１１５】
カラー用のスキャンデータ画像処理部３２は、読み取られた画像データに対してカラーの画像処理を行って変倍処理部５１に出力する（ＳＴ４２）。変倍処理部５１は、入力される倍率範囲に応じて変倍された画像データ（副走査方向の変倍画像）を指定された倍率に副走査方向を変倍処理してＰＭ４０に出力する（ＳＴ４３）。
【０１１６】
また、モノクロ用のスキャンデータ画像処理部３３は、読み取られた画像データに対してモノクロの画像処理を行って変倍処理部５２に出力する（ＳＴ４４）。変倍処理部５２は、入力される倍率範囲に応じて変倍された画像データ（副走査方向の変倍画像）を指定された倍率に副走査方向を変倍処理してＰＭ４０に出力する（ＳＴ４５）。
【０１１７】
ＰＭ４０には、カラーの画像処理が行われた画像データが１頁分格納され、モノクロの画像処理が行われた画像データが１頁分格納される（ＳＴ４６）。従って、ＰＭ４０には２頁分の画像データが格納される。
【０１１８】
一方、ＡＣＳ部３１は、読み取られた画像データから当該原稿がカラーかモノクロかを、ＰＭ４０で画像データの読み出しが行われる前に判定し、判定結果をＣＰＵ２０に出力する（ＳＴ４７）。
【０１１９】
なお、ＡＣＳ部３１による判定は、下記のようになる。
【０１２０】
すなわち、変倍時におけるカラー／モノクロ判定部６３の判定は、カウント値ｃｎｔ＞ｆ（Ｚ）×ＴＨＣであればカラーと判定し、そうでなければモノクロと判定する。なお。「ＴＨＣ」はカラー／モノクロ原稿判定閾値であり、ｆ（Ｚ）は倍率をＺとしたときのＺに関する関数である。ただし、本実施例の場合は、読み取り倍率が５０％、１００％、２００％、４００％のいずれかである。従って、使用する関数ｆ（Ｚ）は、５０％用、２００％用、４００％用の３つである（１００％は必要がない）。
【０１２１】
ＣＰＵ２０は、ＡＣＳ部３１から判定結果を受けた際、この判定結果に応じてカラー画像形成の制御信号またはモノクロ画像形成の制御信号を選択部３６とプリント部１０２とに送信する。続いて、ＣＰＵ２０は、ＰＭ４０からカラーの画像処理が行われた画像データ（カラー用）及びモノクロの画像処理が行われた画像データ（モノクロ用）を読み出す（ＳＴ４８）。
【０１２２】
変倍処理部５３は、ＰＭ４０から読み出されたカラー用の画像データを主走査方向に上記指定された倍率で変倍処理してプリントデータ画像処理部３４に出力する（ＳＴ４９）。プリントデータ画像処理部３４は、変倍処理部５３からの画像データの画像処理（プリントデータ化）を行って選択部３６に出力する（ＳＴ５０）。
【０１２３】
また、変倍処理部５４は、ＰＭ４０から読み出されたモノクロ用の画像データを主走査方向に上記指定された倍率で変倍処理してプリントデータ画像処理部３５に出力する（ＳＴ５１）。プリントデータ画像処理部３５、ＰＭ４０から読み出されたモノクロ用の画像データの画像処理（プリントデータ化）を行って選択部３６に出力する（ＳＴ５２）。
【０１２４】
選択部３６は、ＣＰＵ２０からカラー画像形成の制御信号を受信していた場合、カラー用のプリントデータ画像処理部３４からのカラー用の画像データをプリント部１０２に出力する（ＳＴ５３）。
【０１２５】
また、選択部３６は、ＣＰＵ２０からモノクロ画像形成の制御信号を受信していた場合、モノクロ用のプリントデータ画像処理部３５からのモノクロ用の画像データをプリント部１０２に出力する（ＳＴ５３）。
【０１２６】
プリント部１０２は、ＣＰＵ２０からカラー画像形成の制御信号を受信していた場合、選択部３６から出力されるカラー用の画像データに基づいてカラーのプリントアウトを行う（ＳＴ５４）。
【０１２７】
また、プリント部１０２は、ＣＰＵ２０からモノクロ画像形成の制御信号を受信していた場合、選択部３６から出力されるモノクロ用の画像データに基づいてモノクロのプリントアウトを行う（ＳＴ５５）。
【０１２８】
以上説明したように第６実施例によれば、キャリッジ変倍と変倍処理とを伴っても、ページメモリから画像データを読み出す前に原稿がカラーかモノクロかを判定してカラー／モノクロ処理を切り替えることにより、プリスキャンを必要としない変倍処理を行ったＡＣＳモードを実現することができる。
【０１２９】
なお、本第６実施例は、第１実施例の構成に対してキャリッジ変倍と変倍処理とを行う場合を示しているが、同様に第２，第３実施例の構成に応用することも可能である。
【０１３０】
以上説明したように上記発明の実施の形態によれば、ページメモリから画像データを読み出す前に原稿がカラーかモノクロかを判定してカラー／モノクロ処理を切り替えることにより、プリスキャンを必要としないＡＣＳモードを実現することができる。
【０１３１】
なお、上記実施例では、３ラインＣＣＤセンサを用いたが、Ｒ（赤），Ｇ（緑），Ｂ（青）のカラーの画像データに加えてＷ／Ｂ（黒）のモノクロの画像データのもととなる信号を出力する４ラインＣＣＤセンサを用いても良い。特に、第１実施例、第２実施例、第４実施例、第５実施例、第６実施例において４ラインＣＣＤセンサを用いる場合は、モノクロ用のスキャンデータ画像処理部３３へＷ／Ｂ（黒）のモノクロの画像データを入力しても良い。
【０１３２】
また、本願発明は、上記（各）実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【０１３３】
【発明の効果】
以上詳述したようにこの発明によれば、ＡＣＳの判別を迅速に行って画像を形成する処理速度の低下を防ぐことのできる画像形成装置と画像形成方法を提供することができる。
【図面の簡単な説明】
【図１】本発明の一実施の形態を示す画像形成装置に係るカラーデジタル複写装置の内部構成を示す断面図。
【図２】画像読取部の概略構成を示す図。
【図３】カラーデジタル複写装置の制御系の概略構成を示す図。
【図４】第１実施例に係る画像処理部の構成を示すブロック図。
【図５】ＡＣＳ部の概略構成を示す図。
【図６】第１実施例の動作を説明するためのフローチャート。
【図７】第２実施例に係る画像処理部の構成を示すブロック図。
【図８】第３実施例に係る画像処理部の構成を示すブロック図。
【図９】第４実施例に係る画像処理部の構成を示すブロック図。
【図１０】第４実施例の動作を説明するためのフローチャート。
【図１１】変倍時の関数の例を示す図。
【図１２】第５実施例に係る画像処理部の構成を示すブロック図。
【図１３】第６実施例に係る画像処理部の構成を示すブロック図。
【図１４】第６実施例の動作を説明するためのフローチャート。
【図１５】指定された倍率と読み取り倍率との関係例を示す図。
【符号の説明】
２０…ＣＰＵ（制御手段）、３０…画像処理部、３１…ＡＣＳ部（判定手段）、３２，３３，３８…スキャンデータ画像処理部（処理手段）、３４，３５，３７…プリントデータ画像処理部（画像処理手段）、３６…選択部（選択手段）、４０…ページメモリ（格納手段）、４１，４２，４３，４４，５１，５２，５３，５４…変倍処理部（変倍処理手段）、５０…操作パネル（指示手段）、１００…カラーデジタル複写装置、１０１…画像読取部（読取手段）、１０２…プリント部（画像形成手段）。
【図１】
2005033489.tif 000003
【図２】
2005033489.tif 000004
【図３】
2005033489.tif 000005
【図４】
2005033489.tif 000006
【図５】
2005033489.tif 000007
【図６】
2005033489.tif 000008
【図７】
2005033489.tif 000009
【図８】
2005033489.tif 000010
【図９】
2005033489.tif 000011
【図１０】
2005033489.tif 000012
【図１１】
2005033489.tif 000013
【図１２】
2005033489.tif 000014
【図１３】
2005033489.tif 000015
【図１４】
2005033489.tif 000016
【図１５】
2005033489.tif 000017